Podtech/llm-jp-corpus-v4-ja_patent huggingface dataset:
(57)【要約】      （修正有）【課題】ＩＣカードで複数の車両の電子鍵が登録可能で、電波によるドアの開閉が出来る電子鍵付携帯電話を提供する。【解決手段】ＩＣカードに複数台登録出来るようにする。電波によるドアの開閉が出来ないときには、携帯電話に設けられたボタンによる暗証番号でのドアロック解除も出来る。【選択図】図１
0003141806.tif 000002
【実用新案登録請求の範囲】
【請求項１】
携帯電話にＩＣカードを挿入することにより電子鍵により車両のドアロックの開閉。
【請求項２】
車内のナビゲーションシステムと接続することにより携帯電話内情報の共有化、ハンズフリーによる携帯電話の使用。
【請求項３】
携帯電話の電子マネーを使用することによりＥＴＣへの支払いを特徴とするＩＣカード電子鍵付携帯電話である。
【考案の詳細な説明】
【技術分野】
【００１】本考案は、携帯電話に車両の電子鍵、各システムの共有化を設けた、携帯電話に関するものである。
【背景技術】
【００２】車両に搭乗するとき、車両に対し単独の電波カード式による電子鍵システムがある、これでは、携帯電話でや電波カード式の電子鍵、音楽を聴くために外部記憶装置、ＥＴＣカードをそれぞれ別々に所持しなければならない。このため入れ取り忘れを生じることがある。また運転中による携帯電話の使用が抑制できると考えられる。
【考案の開示】
【００３】車両に搭乗するために携帯電話、鍵、音楽などの外部記憶装置、ＥＴＣカードを別々に所持することは、非常に不便を感じる。また危険な運転中の携帯電話の使用がある。これらの機能を携帯電話の中に一本化すると常にすべてが持ち運び可能となり前述の欠点を解決しようとするものである。車両購入時、売却時にはＩＣカードを車両販売店にて電子鍵の書き込み、消去が可能。
【課題を解決するための手段】
【００４】本考案は、携帯電話本体に車両電子鍵の情報を内蔵されたＩＣカードを挿入し車両の近郊に来ると通信しドアロックの開閉を行う。携帯電話の端末端子とナビゲーションシステムとを接続することにより音楽や店舗などの位置情報を共有化、ハンズフリーによる携帯電話の使用、高速道路でのＥＴＣでの支払いをすることにより問題点を解決すると考えられる。
【考案の効果】
【００５】上述のように携帯電話で一本化することにより車両内ＥＴＣカードの置き忘れ、車両運転中の携帯電話使用による事故の低下、鍵閉じ込み車両での鍵の不携帯に役立つと考えられる。
【考案を実施するための最良の形態】
【００６】携帯電話に各ＩＣカードを挿入できるスロットルを設け、そのスロットルに車両の電子鍵が入力されたＩＣカードとＥＴＣカードの情報が入力されたＩＣカードをそれぞれ挿入し、落ちないように固定する。各ＩＣカードを挿入した携帯電話を車両に近づけると携帯電話との間で通信しドアの開閉を行う。何らかの理由で電波によるドアロックの開閉が行えないとき携帯電話内の電子鍵解除ボタンにより解除する。車内の接続端子又はナビゲーションシステムと携帯電話は、ケーブルによって接続する。接続端子は携帯電話の端の部分に配置することで接続を容易にし、またふたの開閉も容易に出来るようにする。
【実施例】
【００７】以下添付図面によって実施例を説明する。１は携帯電話本体、９は外部記憶装置の挿入口、８は車両用ＩＣカード電子鍵の挿入口、１０はＥＴＣ用ＩＣカード挿入口、１１は端末端子、１２は端末端子の保護カバー。各挿入口に各ＩＣカード、外部記憶装置を挿入し固定する。車両の近郊に行くと車両電子鍵解除ボタンにより車両と通信しドアロックが開閉する。【００８】車両に搭乗し携帯電話の端末端子保護カバーをスライドさせ端子とナビゲーションシステムを接続し情報の共有化をする。走行中に電話がかかって来た場合ナビゲーション側で電話の操作が可能にする。【００９】高速道路走行時でもＥＴＣ用カードを挿入しているため、料金所で現金の受け渡しなしにＥＴＣゲートをスムーズに走行することが出来る。
【図面の簡単な説明】
【００１０】
【図１】ＩＣカード式電子鍵付携帯電話
【図２】携帯電話と車の接続端子又はナビゲーションシステムとの接続
【図３】車両との電波の通信
【図４】携帯電話詳細（閉じたところ）
【図５】携帯電話詳細（開いたところ）
【図６】車両電子用ＩＣカード
【図７】ＥＴＣ用ＩＣカード
【符号の説明】
【００１１】１  携帯電話
２  車両電子鍵用ＩＣカード
３  ＥＴＣ用ＩＣカード
４  車両電子鍵  解除ボタン
５  接続コード
６  車の接続端子又はナビゲーションシステム
７  外部記録装置
８  車両電子鍵用ＩＣカード  挿入部
９  外部記憶装置  挿入部
１０  ＥＴＣ用ＩＣカード  挿入部
１１  端末端子
１２  端末端子のフタ
１３  ＩＣチップ
【図１】
0003141806.tif 000003
【図２】
0003141806.tif 000004
【図３】
0003141806.tif 000005
【図４】
0003141806.tif 000006
【図５】
0003141806.tif 000007
【図６】
0003141806.tif 000008
【図７】
0003141806.tif 000009
【手続補正書】
【提出日】平成20年2月5日(2008.2.5)
【手続補正１】
【補正対象書類名】実用新案登録請求の範囲
【補正対象項目名】全文
【補正方法】変更
【補正の内容】
【実用新案登録請求の範囲】
【請求項１】
携帯電話にＩＣカードを挿入することにより電子鍵による車両のドアロックの開閉を行うことができる構造をもった携帯電話。
【請求項２】
車内のナビゲーションシステムと接続することにより携帯電話内情報の共有化、ハンズフリーにより使用できる構造をもった携帯電話。
【請求項３】
携帯電話の電子マネーを使用することによりＥＴＣへの支払いを特徴とするＩＣカード電子鍵付携帯電話。
(57)【要約】【課題】  押しボタンスイッチが取り付けられているプレス機械等でも押しボタンと同じ場所に取り付けることができる光線遮光スイッチを提供することにある。【解決手段】  本考案の遮光スイッチは、スイッチ取り付け板１の一方に投光手段２を有し、スイッチ取り付け板１の他方に受光手段３を有し、投光手段２と受光手段３の隙間にスイッチの逃げ７を有することにより押しボタンスイッチの突起を逃げることができるので、従来の押しボタンスイッチと同じ場所に光線遮光スイッチを取り付けることができる。【選択図】図１
0003141810.tif 000002
【実用新案登録請求の範囲】
【請求項１】
プレス機械に最初から取り付けられている押しボタンスイッチボックスの上に光線遮光スイッチを取り付けることにより、スライドを起動するとき、操作する者の手の位置が、押しボタンスイッチと光線遮光スイッチで同じになるようにしたことを特徴とする光線遮光スイッチ。
【考案の詳細な説明】
【技術分野】
【０００１】  本考案はプレス機械等に最初から取り付けられている押しボタンスイッチと同じ位置に光線遮光スイッチを固定し、切り換えスイッチにより押しボタンスイッチに代わって操作することができる光線遮光スイッチに関する。
【背景技術】
【０００２】  従来プレス機械等を起動させるためのスイッチとして押しボタンスイッチが使用されていた。又、近年では発光素子と受光素子を組み合わせて発光素子と受光素子の間の光線を遮ることによりスイッチ作動を行う光線遮光スイッチが使用されるようになった。
【考案の開示】
【考案が解決しようとする課題】
【０００３】  図４は従来の押しボタンスイッチボックスの平面図であり、従来のプレス機械等を起動させるためのスイッチとして使用されてきた押しボタンスイッチ６は、作業者が押しボタンスイッチを押すことにより起動し、押しボタンスイッチを離すことにより押しボタンスイッチの内部に構成されたバネにの作用により押しボタンが戻ることにより起動が停止していたので、作業者は押しボタンを押す度にバネ力が作業者の手首等の負担となっていたという課題を有する。【０００４】  そこで近年使用されるようになってきた光線遮光スイッチを押しボタンスイッチに代えて使用すれば、光線遮光スイッチは手により光線を遮光するのみでスイッチ動作を行うので手首等に負担がかかることはないが、最初から押しボタンスイッチが取り付けられているプレス機械等のスイッチを光線遮光スイッチに取り替えようとすると、光線遮光スイッチを従来の押しボタンスイッチとは別の場所に取り付けなければならず、作業者は作業方法の変更を強いられて不便であるといった課題を有する。【０００５】  そこで本考案の目的は、押しボタンスイッチが取り付けられているプレス機械等でも押しボタンスイッチと同じ場所に取り付けることができる光線遮光スイッチを提供することにある。
【課題を解決するための手段】
【０００６】  本考案の光線遮光スイッチ図３は、スイッチ取り付け板１の一方に投光手段２を有し、スイッチ取り付け板１の一方に受光手段３を有し、プレス機械等に最初から取り付けられている押しボタンスイッチの操作に支障のないように投光手段２と受光手段３の隙間に押しボタンスイッチの逃げ７を光線遮光スイッチ取り付板に有することを特徴とする。【０００７】  又、複数組の投光手段２と受光手段３を１個のスイッチ取り付け板１に構成し、複数組の投光手段２と受光手段３と同じ組の数だけスイッチ６の逃げ７を有することを特徴とする。【０００８】  又、複数組の投光手段２と受光手段３の間を通る光線が、押しボタンスイッチ６により遮光されないようにするために、スイッチ取り付け板１は光線４が押しボタンスイッチ６の上を通る構造になっていることを特徴とする。
【考案の効果】
【０００９】  本考案の光線遮光スイッチを用いれば、手で光線を遮ることにより作動するスイッチであるので、作業者の手首等には力が加わらないため、スイッチ作動が負担とならないといった効果を有する。【００１０】  又、従来から取り付けられている押しボタンスイッチの突起を逃げるためのスイッチ逃げを有した光線遮光スイッチであるので、従来から取り付けられている押しボタンスイッチに重ねて取り付けることができるので、作業者は作業方法の変更を強いられることなく軽く便利にスイッチ動作を行うことができるといった効果を有する。
【考案を実施するための最良の形態】
【００１１】  本考案の実施の形態を図面を参照して説明する。【００１２】  図３は光線遮光スイッチの平面図、図１は使用例を示す組み立ての平面図、図２は使用例を示す組み立ての正面図、図４は押しボタンスイッチボックスの平面図である。【００１３】  図４による押しボタンスイッチボックスの構成は、スイッチボックス５にスライドを起動するための押しボタンスイッチ６が取り付けられておりプレス機械等に最初から起動装置として取り付けられているものである。【００１４】  図３による光線遮光スイッチの構成は、スイッチ取り付け板１の一方には発光素子による投光手段２を有し、スイッチ取り付け板１の一方にはには受光素子にによる受光手段３を有し投光手段２と受光手段３の隙間には押しボタンスイッチ６の突起を逃げるためのスイッチの逃げ７を有している。【００１５】  又、２組の投光手段２と２組の受光手段３を一個のスイッチ取り付け板１に構成しているので、２組の投光手段２と受光手段３と同じ２組のスイッチの逃げ７を有しているのである。【００１６】  図１により本考案の光線遮光スイッチの使用例を説明すれば、光線遮光スイッチのスイッチ取り付け板１は最初から取り付けられている押しボタンスイッチボックス５の上部に取り付けられている。【００１７】  図２により光線遮光スイッチの取り付け高さの位置を説明すれば、投光手段２と受光手段３間を通る光線４の位置は押しボタンスイッチ６の突起部分で遮光されないように押しボタンスイッチ６の上を通るようにスイッチ取り付け板１を押しボタンスイッチボックス５にねじ８で固定されている。２組の投光手段２と受光手段３は同じ高さで固定されている。【００１８】  以上のように、最初から取り付けられている押しボタンスイッチボックス５に光線遮光スイッチ図３を取り付けて使用すれば、押しボタンスイッチ６の場所に手をかざすだけでスイッチ動作をおこなうことができ、作業方法を変更することなく、軽い動作で作業ができるのである。
【図面の簡単な説明】
【００１９】
【図１】押しボタンスイッチボックスに光線遮光スイッチ組付けの平面図
【図２】押しボタンスイッチボックスに光線遮光スイッチ組付けの正面図
【図３】光線遮光スイッチの平面図
【図４】押しボタンスイッチボックスの平面図
【符号の説明】
【００２０】    １：スイッチ取り付け板
２：投光手段
３：受光手段
４：光線
５：押しボタンスイッチボックス
６：押しボタンスイッチ
７：スイッチの逃げ
８：ネジ
【図１】
0003141810.tif 000003
【図２】
0003141810.tif 000004
【図３】
0003141810.tif 000005
【図４】
0003141810.tif 000006
(57)【要約】【課題】  従来のサンダル並びにスリッパ等の履物は特に歩行時には脱げやすいので、軽快な履物としての機能は残した上で、歩行時等に脱げにくい安全な履物にする。【解決手段】  履物の底板に柔軟性を持たせ、足の踵裏部分を中心に常に底板に足を押上げる力が働く形状にすることにより、この課題を解決する。【選択図】図１
0003141801.tif 000002
【実用新案登録請求の範囲】
【請求項１】
履物の底板に柔軟性を持たせ、足の踵裏部分を中心に常に底板に足を押上げる力が働く形状にしたことを特徴とする、装着歩行時に脱げにくい安全性の向上を図った履物。
【考案の詳細な説明】
【技術分野】
【０００１】  本考案は、履物の底板に柔軟性を持たせ、足の踵裏部分を中心に常に底板に足を押上げる力が働く形状にした履物に関するものである。
【背景技術】
【０００２】  従来のサンダル並びにスリッパ等の履物は、歩行時に脱げやすい形状の履物である。
【考案の開示】
【考案が解決しようとする課題】
【０００３】  歩行時に脱げやすい履物を、底板部分に柔軟性を持たせ脱げにくい形状にすることで前述の欠点を解決し、安全性の向上を図るものである。
【課題を解決するための手段】
【０００４】  本考案は、履物の底板に柔軟性を持たせ、足の踵裏部分を中心に常に底板に足を押上げる力が働く形状にしたことを特徴とし、装着歩行時に脱げにくい安全性の向上を図った履物である。また履物が脱げやすいのは歩行時の踵が浮いた時であり、その時に本考案は機能を発揮し問題点を解決している。
【考案の効果】
【０００５】  上述の様に、履物の底板に柔軟性を持たせ、足の踵裏部分を中心に底板に足を押上げる力が働く形状にしたことで、歩行時に脱げにくい履物となり、特に階段の上り下り時等の安全性が飛躍的に向上する。
【考案の実施するための最良の形態】
【０００６】  本考案に係る履物は、図１に示すように足を挿入する前は、履物の底板部分が踵を押上げる形状になるようにし、素材には柔軟性があるものを使用する。その柔軟性は、足を挿入することで底板が平坦になる程度とし、図３に示すように歩行時等に踵が浮いたときには、踵の動きに底板が踵を押上げる形で追従する程度である。
【実施例】
【０００７】  以下、添付図面に従って実施例を説明する。図１に示すように足を挿入する前は、履物の底板部分が踵を押上げる形になっている。図２に示すように足を挿入することで底板は平坦な状態になり、この時点では従来の履物となんら変わりは無い。図３に示すように歩行時等に踵が浮いた時に、従来の履物では脱げやすいが、本考案の履物は底板が踵の動きに追従してくるため脱げにくい。
【図面の簡単な説明】
【０００８】
【図１】本考案の履物の側面図である。
【図２】本考案の履物に足を挿入した状態の側面図である。
【図３】本考案の履物に足を挿入し、踵が浮いた時の状態の側面図である。
【符号の説明】
【０００９】  １  履物本体
２  足
【図１】
0003141801.tif 000003
【図２】
0003141801.tif 000004
【図３】
0003141801.tif 000005
【手続補正書】
【提出日】平成20年1月10日(2008.1.10)
【手続補正１】
【補正対象書類名】実用新案登録請求の範囲
【補正対象項目名】全文
【補正方法】変更
【補正の内容】
【実用新案登録請求の範囲】
【請求項１】
履物の底板の踵裏部分を中心に、常に踵を持ち上げるための上方に曲がった板バネを底板内に挿入し、底板に柔軟性を持たせた履物。
(57)【要約】      （修正有）【課題】寒い時期や暑い時期に、ウェットティッシュを温めたり冷やす為には電気を使用しなければならず、外出時にウェットティッシュを温めたり冷やす事が出来ないという不都合を解決する。【解決手段】携帯カイロもしくは保冷剤２を用いた、携帯ティッシュウォーム＆クールマルチケース１０による。【選択図】図１
0003141805.tif 000002
【実用新案登録請求の範囲】
【請求項１】
ウェットティッシュをその形状に合わせた袋状の布に入れ、その上部に同形の袋状の布を被せられるように縫い付け、中に携帯カイロもしくは保冷剤を入れた状態を特徴とするケース。
【請求項２】
袋状の布３つを片開きになるように縫い付け、中央の袋に携帯カイロもしくは保冷剤を挿入し一つにウェットティッシュを入れ、もう一つにマルチ収納袋を設けたことを特徴とするケース。
【考案の詳細な説明】
【技術分類】
【０００１】本考案は、ウェットティッシュを温めたり冷やす為に袋状の布と携帯カイロもしくは保冷剤を用い持ち運びを簡単にしたものである。
【背景技術】
【０００２】従来、ウェットティッシュを温めたり冷やす為には電気を使用しなければならなかった。
【考案の開示】
【考案が解決しようとする課題】
【０００３】しかし、温めたり冷やす為に電気を要するのでは、外出する際ウェットティッシュを温めたり冷やすことが出来ない。寒い時期の外出時に冷たいウェットティッシュで、また暑い時期に生温かいウェットティッシュで皮膚を拭かねばならないため不快を感じ不便である。
【課題を解決するための手段】
【０００４】そこで２つの袋状の布を縫い合わせ、一つの袋に携帯カイロもしくは保冷剤を入れ、もう一つの袋にはウェットティッシュの取り出し口面が携帯カイロもしくは保冷剤に重なるように入れることを考案した。こうすることで寒い時期に温かいウェットティッシュ、暑い時期に冷たいウェットティッシュを外出時に容易に持ち運ぶことが可能になるのである。
【考案の効果】
【０００５】よって本考案の携帯ティッシュウォーム＆クールマルチケースにより寒い時期の外出時、温かいウェットティッシュで皮膚を拭くことが出来る。暑い時期には携帯カイロの代わりに保冷剤を入れておけば、冷たいウェットティッシュでの清拭で爽快感を得ることが出来る。また袋状の布を３つ縫い合わせ真ん中に携帯カイロもしくは保冷剤を挿入し、残りの二つの袋のうち一つにウェットティッシュ、もう一つはマルチ収納袋としオムツやハンカチ、弁当などを一緒に入れておけば、同時にそれらを温めたり冷やしたりすることが出来る。
【考案を実施するための最良の形態】
【０００６】  本考案の袋状の布の大きさ・形状は、ウェットティッシュの形状に合わせ、その形状に応じて大きさを決めればよい。袋状の布を３つ縫い合わせた物の場合、真ん中に位置する携帯カイロもしくは保冷剤収納袋は、ウェットティッシュ収納袋とマルチ収納袋を閉じた時に縁からはみ出さない程度の大きさ・形状とする。ウェットティッシュ取り出し口面にファスナーを付ければ取り出しが簡単である。携帯カイロもしくは保冷剤とウェットティッシュがより密着されるよう、携帯カイロもしくは保冷剤挿入袋とウェットティッシュ挿入袋が重なり合う形で、マジックテープ・ボタン・スナップボタン等の留め具を用いて留める。
【図面の簡単な説明】
【０００７】
【図１】  本考案に係る携帯ティッシュウォーム＆クールマルチケースに、携帯カイロもしくは保冷剤とウェットティッシュを挿入した状態の断面図である。
【図２】  本考案に係る携帯ティッシュウォーム＆クールマルチケースに、携帯カイロもしくは保冷剤とウェットティッシュを挿入しウェットティッシュ取り出し口面にファスナーを付けた状態の立面図である。
【符号の説明】
【０００８】  １    ウェットティッシュ
２    携帯カイロもしくは保冷剤
３    マルチ収納スペース
１０    携帯ティッシュウォーム＆クールマルチケース
Ｔ    留め具
Ａ    ウェットティッシュ収納袋
Ｂ    携帯カイロもしくは保冷剤収納袋
Ｃ    マルチ収納袋
Ｆ    ファスナー
【図１】
0003141805.tif 000003
【図２】
0003141805.tif 000004
(57)【要約】      （修正有） 【課題】子供が大好きなラーメンのサクサク感と大人の大好きな海苔の風味が合わさり、かつ、味付けはちょっとピリ辛で、おつまみにも最適で、ミネラルや食物繊維が豊富な海苔を使用した健康的なスナック食品を開発・提供する。【解決手段】調味液２ａを塗布した海苔１ａに、味付け乾燥ラーメン３を載置し、これを調味液２ｂを塗布した海苔１ｂで挟んだことを特徴とするスナック食品から構成されるものである。【選択図】図１
0003141873.tif 000002
【実用新案登録請求の範囲】
【請求項１】
調味液（２ａ）を塗布した海苔（１ａ）に、味付け乾燥ラーメン（３）を載置し、これを調味液（２ｂ）を塗布した海苔（１ｂ）で挟んだことを特徴とする海苔を用いたスナック食品。
【考案の詳細な説明】
【技術分野】
【０００１】
この考案は、海苔を用いたスナック食品に関する。  
【背景技術】
【０００２】
従来、スナック（通常の食事以外に食べる簡単な食事、軽食をいう）食品には、ポテトチップ、ポップコーンを始めとし、種々の商品が次々と開発され、商品化されている。
【０００３】
そして、これらスナック食品においても、近年、ヘルシーで、口当たりがよい食品を求める傾向にあり、ミネラルや植物繊維を豊富に含む食用の海苔に注目したものである。
【０００４】
しかし、海苔をその素材にしたものは存在している。例えば、特許文献１のように。      
【特許文献１】特開平０７─０８７９３７号公報
【考案の開示】
【考案が解決しようとする課題】
【０００５】
そこで、本願出願人は、子供が大好きなおやつ代わりに嘱している味付け乾燥ラーメンを用いて、海苔でサンドイッチ状にすることにより、ラーメンのサクサク感と大人の大好きな海苔の風味が合わさり、かつ、味付けはちょっとピリ辛で、おつまみにも最適で、ミネラルや食物繊維が豊富な海苔を使用した健康的なスナック食品を開発・提供することにある。
【課題を解決するための手段】
【０００６】
この考案は、調味液を塗布した海苔に、味付け乾燥ラーメンを載置し、これを調味液を塗布した海苔で挟み、固定した海苔を用いたスナック食品としたものである。
【考案の効果】
【０００７】
この考案によると、海苔にラーメンを載置すると、海苔に塗布した調味液に含まれる増粘多糖類によって、ラーメンが海苔に付着され、また、ラーメンの持つサクサク感と、海苔の風味が合わさり、歯触りがよく、また、ミネラルや食物繊維が豊富であり、健康的でり、子供のおやつとして、また、酒のおつまみとしても最適である等の極めて有益なる効果を奏する。
【考案を実施するための最良の形態】
【０００８】
そこで、この考案の最良の形態とは、調味液（２ａ）を塗布した海苔（１ａ）に、味付け乾燥ラーメン（３）を載置し、これを調味液（２ｂ）を塗布した海苔（１ｂ）で挟んでサンドイッチ状にした海苔を用いたスナック食品である。
【実施例】
【０００９】
この考案の一実施例を図面に従って詳述すると、調味液（２ａ）を塗布した海苔（１ａ）に、味付け乾燥ラーメン（３）を細かくして載置し、これを調味液（２ｂ）を塗布した海苔（１ｂ）で挟んでサンドイッチ状に形成したことを特徴とするスナック食品から構成されるものである。
【００１０】
尚、海苔（１ａ），（１ｂ）は、食用の海苔であり、シート状に形成されたものである。
【００１１】
また、調味液（２ａ）（２ｂ）とは、醤油、食塩、アミノ酸等の調味料、えび、昆布、かつお節等の風味原料、増粘多糖類等を含むものである。
【００１２】
さらに、味付け乾燥ラーメン（３）とは、麺に予め、味付けされたものであり、子供達が、丼鉢に移して湯を入れてから食するものではなく、そのままでも、おやつがわりにも食べることができるものである。
【産業上の利用可能性】
【００１３】
この考案の海苔を用いたスナック食品の技術を確立し、かつ、この装置を実施・販売することにより産業上の利用可能性がある。
【図面の簡単な説明】
【００１４】
【図１】この考案の一実施例を示す一部欠截斜視図である。
【図２】この考案の一実施例を示す断面図である。
【符号の説明】
【００１５】
１ａ  海苔
１ｂ  海苔
２ａ  調味液
２ｂ  調味液
３  ラーメン
【図１】
0003141873.tif 000003
【図２】
0003141873.tif 000004
(57)【要約】【課題】装着感を保持しながらも取り外し易くすること。【解決手段】  Ｃ字状の弾性リング１を用い、弾性リング１の抜穴２をテーパー状に形成し、弾性リング１の両端部の隙間を開口部３とすると共に、弾性リング１の両端部であって抜穴２の貫通方向のうち口径が狭まる方に内向きの突起４を有する仮性包茎矯正具において、突起４は、抜穴２の中央部分に向って膨らむ円弧状であることを特徴とする。【選択図】      図１
0003141874.tif 000002
【実用新案登録請求の範囲】
【請求項１】
Ｃ字状の弾性リング（１）を用い、弾性リング（１）の抜穴（２）をテーパー状に形成し、弾性リング（１）の両端部の隙間を開口部（３）とすると共に、弾性リング（１）の両端部であって抜穴（２）の貫通方向のうち口径が狭まる方に内向きの突起（４）を有する仮性包茎矯正具において、
突起（４）は、抜穴（２）の中央部分に向って膨らむ円弧状であることを特徴とする仮性包茎矯正具。
【請求項２】
弾性リング（１）の両端部および突起（４）は、連続する円状であることを特徴とする請求項１記載の仮性包茎矯正具。
【請求項３】
弾性リング（１）の両端部は、弾性リング（１）の外周を形作る円の軌跡（Ｋ）よりも内側の範囲に設けてあることを特徴とする請求項２記載の仮性包茎矯正具。
【請求項４】
抜穴（２）の形状は、弾性リング（１）の口径の狭い方では角部を面取りした略正八角形に形成してあることを特徴とする請求項３記載の仮性包茎矯正具。
【考案の詳細な説明】
【技術分野】
【０００１】
本考案は仮性包茎の人の包皮が戻らないようにして亀頭を露出させた状態を維持する包茎矯正具に関する。
【背景技術】
【０００２】
従来の技術としては、Ｃ字状の弾性リングの両端部に突起を内側に突出するものが知られている（特許文献１）。
【０００３】
これは、亀頭の後縁に嵌め、二つの突起を尿路の両側に当てて使用するものであり、三角形に似た形の突起が皮膚を軽く圧迫し、回り止め及び外れ止めの役割を果たすと共に、身体への一体感というか装着感を向上させるものである。
【０００４】
ところが、場合によっては、この三角形状の突起が皮膚に食い込むこともあり、使用を止めて取り外すときに、ひっかかって取り外し難いことがある。
【特許文献１】登録実用新案第３０６７６９６号公報
【考案の開示】
【考案が解決しようとする課題】
【０００５】
本考案は上記実情を考慮して創作されたもので、その課題は装着感を保持しながらも取り外し易くすることである。
【課題を解決するための手段】
【０００６】
本考案は、Ｃ字状の弾性リングを用い、弾性リングの抜穴をテーパー状に形成し、弾性リングの両端部の隙間を開口部とすると共に、弾性リングの両端部であって抜穴の貫通方向のうち口径が狭まる方に内向きの突起を有する仮性包茎矯正具を前提とする。
【０００７】
請求項１記載の考案は、突起は、抜穴の中央部分に向って膨らむ円弧状であることを特徴とする。
【０００８】
請求項２記載の考案は、弾性リングの両端部および突起は、連続する円状であることを特徴とする。
【０００９】
請求項３記載の考案は、弾性リングの両端部は、弾性リングの外周を形作る円の軌跡よりも内側の範囲に設けてあることを特徴とする。
【００１０】
請求項４記載の考案は、抜穴の形状は、弾性リングの口径の狭い方では角部を面取りした略正八角形に形成してあることを特徴とする。
【考案の効果】
【００１１】
請求項１の考案は、突起を円弧状に設けてあるので、装着した際には尿路の両側に当たる二つの突起が皮膚を適度に圧迫して身体に一体感を与え、円弧状であるから必要以上に食い込むことがなく、弾性リングの取り外しを容易に行える。なお、抜穴の内周をテーパー状にしてあるので、陰茎の形状に略一致して弾性リングの内周面全域が当たり、締め付け面が広くなり、装着感が快適である。
【００１２】
また、請求項２の考案は、弾性リングの両端部および突起を連続する円状にすれば、装着した際に皮膚への当たり具合いが一段と快適になる。
【００１３】
さらに、請求項３の考案は、弾性リングの両端部を弾性リングの外周を形作る円の軌跡より内側の範囲に設けてあれば、意匠も優れている。
【００１４】
また、請求項４の考案は、口径の狭い端部では抜穴の形状を角部のない略八角形状としてあるので、一段と回り止め効果が得られる。
【考案を実施するための最良の形態】
【００１５】
本考案の仮性包茎矯正具は、図１に示すように、Ｃ字状の薄肉の弾性リング１で、弾性リング１の内周部の抜穴２をテーパー状に形成し、抜穴２の口径を弾性リング１の厚み方向に沿って徐々に狭まるものとしてある。また、弾性リング１はＣ字状の両端部の隙間を開口部３とすると共に、Ｃ字状の両端部であって抜穴２の貫通方向のうち口径が狭まる方に、突起４を内向き（口径を狭める方向）に突出し、弾性リング１の両端部および突起４を、連続する円状に形成してある。さらに、弾性リング１の両端部は、弾性リング１の外周を形作る円の軌跡Ｋ（図の一点鎖線）よりも内側の範囲に設けてある。
【００１６】
抜穴２は、口径の広い一端を真円の一部を切欠した形状とすると共に、口径の狭い他端部を、角の部分を面取りした略正八角形とし、略正八角形の内周面を抜穴２の貫通方向に連続する平らな平坦部５としてある。略正八角形とは、正八角形の一辺を恰も切り欠いた形状をいう。なお、弾性リング１は、エラストマー樹脂を用いることによって弾性を与えている。
【００１７】
本考案の仮性包茎矯正具を使用する場合は図２に示すように、陰茎６の根部の方へ包皮を後退させて亀頭７を露出させた状態を維持しつつ、弾性リング１の両端部を両手の親指と人指し指でつまんで開口部３を広げ、口径の狭い方を亀頭７側に向け、開口部３を下にしてそのまま亀頭７の後縁（亀頭冠状溝）に上から嵌め込み、開口部３の隙間に尿路８を合わせ、尿路８を圧迫しないようにする。なお、弾性リング１が包皮をはさみこんだ場合は、包皮をつまんで陰茎６の根部の方へ後退させると、冠状溝にぴったり納まる。
【００１８】
上述の仮性包茎矯正具は、Ｃ字状の弾性リング１であるので、両端部を広げて開口部３を下に向けて嵌めるだけで装着できる。弾性リング１の抜穴２が陰茎６より少し小さい場合には弾性によって自然と広がるので、快適に装着できる。弾性によって陰茎６を軽く締め付けてあるので、装着初期の位置からずれることなく、初期の状態を長時間に亘って持続することができる。また、平坦部５があるので、陰茎６に面で接することになり、陰茎６が傷付くことなく、その結果、良好な装着感を得られる。なお、長期間使用することによって皮膚の形状記憶機能が作用し、包茎が矯正される。
【図面の簡単な説明】
【００１９】
【図１】（イ）（ロ）（ハ）図は本考案の包茎矯正具を示す正面図、Ａ−Ａ線断面図、背面図である。
【図２】本考案の包茎矯正具の使用状態図である。
【符号の説明】
【００２０】
１弾性リング、２抜穴、３開口部、４突起、５平坦部、６陰茎、７亀頭、８尿路
【図１】
0003141874.tif 000003
【図２】
0003141874.tif 000004
(57)【要約】      （修正有）【課題】エコバック内にベルトを取り付け、スーパー等で購入した縦長の野菜が袋内で転倒したり他の食品を潰してしまうのを防止する。【解決手段】エコバックの内側に、ベルトを設け野菜を固定することにより、袋内での野菜の転倒や他の食品を潰してしまうのを防止するほか、バックを持ったときの型崩れ防止にも役立つ。更にポケットではなくベルトにすることにより、使用する布の面積を減らし、折りたたんでもかさばらずに持ち運びが可能となる。【選択図】図５
0003141629.tif 000002
【実用新案登録請求の範囲】
【請求項１】
スーパーなどでレジ袋の代わりに使用するエコバックの内側に円形状のベルトを設け、縦長の野菜（主に大根や長ネギ、ゴボウ等）が袋内部で倒れないように固定する為のベルト
【考案の詳細な説明】
【技術分野】
【０００１】  本考案はエコバックや買い物バックの内側にベルトを取り付けたバック（かばん）に関するものである。
【背景技術】
【０００２】  スーパーなどで縦長の野菜（例えば大根や長ネギ、ゴボウ等）を購入し、袋詰めを行なう際、その形状上、安定が悪く倒れてしまうことがある。更に袋内で倒れることにより他の食品を潰してしまうこともある。また、現在では買い物時のマイバック（エコバック）持参が定着しつつある中、ライフスタイルに合ったシンプルで且つ機能的な使いやすいバックが求められている。
【考案の開示】
【考案が解決しようとする課題】
【０００３】  エコバックは折りたたんだ時点でかさばらない造りであることが前提で、そのためには固定する部品も、より面積が小さいものが好ましいとされる。
ポケットでは使用する布の面積が広くなることを余儀なくされる為、様々な太さの野菜に対応でき、それらを固定するベルトを設け前述の欠点を解決しようとするものである。
【課題を解決するための手段】
【０００４】  本考案はエコバックや買い物バックの内側に細長い野菜などを固定する為、ポケットではなくベルトを設け商品を固定することにより問題点を解決している。【０００５】  ベルトとは、バック内側のサイドに布やゴムなどを用い、輪の形状に一箇所ないしは二箇所程度縫いつけたものである。そのベルトの輪の中に、購入した野菜を入れ固定する。
【考案の効果】
【０００６】  上述のように、本考案のエコバック内野菜固定ベルトは袋内での野菜の転倒や他の食品を潰してしまうのを防止するほか、バックを持ったときの型崩れ防止にも役立つ。また、折りたたんでもかさばらない構造になっており、持ち運びにも便利である。
【考案の実施するための最良の形態】
【０００７】ベルトの輪の中に、購入した野菜を入れ固定する。
【実施例】
【０００８】  以下、添付図面に従って一実施例を説明する。Ｂ及びＤを、輪になるようにバック内部のサイドに縫い付ける。ＡとＣはその縫い付けた場所を示す。
Ｂの形状の場合は布、Ｄの形状の場合はゴムを使用し、それぞれの輪の中に縦長の野菜を入れて固定する。
また、ＢとＤそれぞれを一つのバック内部に縫い付けることにより、固定したい野菜の種類によりベルトを使い分けることも可能である。この場合、大根や縦長の野菜の数が多いときにはＢのベルトを使用し、細長い長ネギ等はＤを使用する。
【図面の簡単な説明】
【０００９】
【図１】エコバックを表から見た図である。（形状はこれに限らない）
【図２】本考案のバックを中表（なかおもて）にし、固定ベルトは幅広の布で一箇所取り付けた状態を示す図である。
【図３】本考案のバックを中表（なかおもて）にし、固定ベルトはゴムを二箇所取り付けた状態を示す図である。
【図４】本考案のバックを中表（なかおもて）にし、布製のベルトと、ゴム製のベルト両方を取り付けた状態を示す図である。
【図５】（図３）のバックに長ネギを入れた時の使用例を示す図である。
【符号の説明】
【００１０】Ａ  ベルトを縫いつけた場所
Ｂ  ベルト本体（布製）
Ｃ  ベルトを縫いつけた場所
Ｄ  ベルト本体（ゴム製）
【図１】
0003141629.tif 000003
【図２】
0003141629.tif 000004
【図３】
0003141629.tif 000005
【図４】
0003141629.tif 000006
【図５】
0003141629.tif 000007
【手続補正書】
【提出日】平成19年12月19日(2007.12.19)
【手続補正１】
【補正対象書類名】実用新案登録請求の範囲
【補正対象項目名】全文
【補正方法】変更
【補正の内容】
【実用新案登録請求の範囲】
【請求項１】
スーパーなどでレジ袋の代わりに使用するエコバックの内側に、円形状のベルトやゴムを設けることによって、縦長の野菜（主に大根や長ネギ、ゴボウ等）が袋内部で倒れないように固定できるようにしたエコバック
(57)【要約】【課題】従来のシッタはロクロ盤の中心に、芯だしをして固定するために多くの時間を費やし、しかも成形物が変わればその都度シッタを取換えなければならなかった。【解決の手段】本考案のシッタはロクロ盤専用台座に取り付けることにより、芯だしの煩わしさから解放される。  成形物の大きさ、形状に合わせてシッタの開口部の口径を変えるだけで、高台の削りだし作業にかかることができる。【選択図】図１
0003141623.tif 000002
【実用新案登録請求の範囲】
【請求項１】
複数個に分割した円錐形の腕木の上端を開閉することにより、開口部の口径を変えることができて形状、大きさの異なる成形物の削りだしにも一つで対応可能なシッタ。
【請求項２】
シッタの底板を専用台座に固定し、ロクロ盤への装着、取り外しを容易にすることができ、かつロクロ盤上での芯だし作業の不必要なシッタ。
【考案の詳細な説明】
【技術分野】
【０００１】  本考案は陶芸においてロクロ盤成形で高台の削りだしをする際に使用するシッタ、および  ロクロ盤への取り付けに関するものである。
【背景技術】
【０００２】  従来のシッタは形状、大きさの異なったものをそれぞれ作陶者が自作している。
作陶者は削り出しをする成形物に適合したシッタをロクロ盤の上に置き、中心合せいわゆる、芯だしをして粘土を用いて固定している。
このように準備したシッタに成形物を被せたり、嵌め込んで高台の削りだしをしている。
【考案の開示】
【考案が解決しようとしている課題】
【０００３】  しかしながら、シッタをロクロ盤の中心に芯だしをして固定する作業は、初心者には難しく、また多くの時間を浪費する欠点があった。
【課題が解決するための手段】
【０００４】  本考案はシッタの底板をロクロ盤専用台座に固定する。
シッタの開口部の口径を成形物の大きさに合わせて変えることができる。
【考案の効果】
【０００５】  本考案はシッタをロクロ盤の上に芯だしをして固定する面倒な作業から解放し、シッタの開口部の口径を変えるだけで、形状の異なった成形物の高台の削りだし作業への着手が容易になった。
【考案を実施するための最良の形態】
【０００６】  本考案のシッタは図１および図２に示すように、底板Ａの中心にシャフト２を固定した円板Ｄを設け、底板Ａの上に複数の腕木を配置する。
実施例は６個の腕木構成とした。
腕木１は底板Ａに接着した部品３ａ，３ｂに挟まれた状態で部品４を軸としたヒンジで繋がっている。腕木１は中心のシャフト２を回転させることによって上下するランナーＢとストレッチャーＣとがヒンジで繋がっている。
腕木１は円板Ｄに設けた突起５を右または左に廻すことにより、ランナーＢが上下してストレッチャーの傾きが変わり、腕木の開口部の口径を調整することができる。
ランナーＢにはシヤフト２とナットのあそびから生じる腕木のがたつきを防止するため、上下にナット８ｕ，８ｄを内蔵している。ナットは一つでも良い。
シャフト２の先端はシャフトとナット６に貫通孔をあけ、割りピンを入れてランーＢの上方向へのストッパーにしている。
腕木１の上部は内、外面共スポンジゴムシートを貼り付けて、成形物を装着したき腕木により安定して密着するようにしている。
底板Ａは中央の穴の口径が異なる２枚の板を接着して一体のものにしている。
底板Ａにはボルトを通す穴を３箇所設けている。
円板Ｄと円板Ｅはシャフト２の基部と接着していて、底板Ａを挟み込んでいる。【０００７】  ロクロ盤専用台座を図３、図４に示す。
ロクロ盤専用台座の３箇所にボルト９ａ，９ｂ，９ｃを垂直に取り付けておき、シッタの底板の３箇所の穴に嵌め込み、ナット１１で固定する。
ロクロ盤専用台座は裏側の３箇所に設けたロクロ盤ホルダー１０ａ，１０ｂ，１０ｃでロクロ盤を抱くように装着する。
【図面の簡単な説明】
【０００８】
【図１】図２のＩ−Ｉ方向のシッタの断面図
【図２】シッタの平面図
【図３】ロクロ盤専用台座の正面図
【図４】ロクロ盤専用台座の平面図
【符号の説明】
【０００９】  １腕木
２シャフト（ボルト）
３腕木を支持する部品
４腕木を貫通する軸
５シャフトを回転させるための突起
６ランナーのストッパー
７腕木に貼り付けたスポンジゴムシート
８ランナーに内蔵したナット
９シッタ底板取り付けボルト
１０ロクロ盤ホルダー
１１シッタ底板固定ナット
【図１】
0003141623.tif 000003
【図２】
0003141623.tif 000004
【図３】
0003141623.tif 000005
【図４】
0003141623.tif 000006
【手続補正書】
【提出日】平成19年9月18日(2007.9.18)
【手続補正１】
【補正対象書類名】実用新案登録請求の範囲
【補正対象項目名】請求項２
【補正方法】削除
【補正の内容】
【手続補正書】
【提出日】平成19年12月11日(2007.12.11)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
複数個に分割した円錐形の腕木の上端を開閉することにより、開口部の口径を変えることができて形状、大きさの異なる成形物の削りだしにも一つで対応可能なシッタ。
(57)【要約】      （修正有）【課題】接触すればすぐ落下し、当っても痛くないハードル・落下バーを提供する。【解決手段】支柱の上部にバーを支持する突起をつける。突起材はゴム、合成樹脂、金属を形成し固定する。又は支点をもうけ突起物が傾くようにする。これでバーが身体を痛めることなく落下する。又、バー自体も軽く棒状にし、緩衝材で被覆し、身体を保護する。【選択図】図−１
0003141630.tif 000002
【実用新案登録請求の範囲】
【請求項１】
学校運動具、ハードルのバーが落下する。
【請求項２】
落下バーを棒状にする。
【請求項３】
落下バーを緩衝材で被覆する。
【請求項４】
ハードル支柱に落下バーの支持突起をつける。
【考案の詳細な説明】
【技術分野】
【０００１】学校運動具、ハードルのバーに関する考案である。
【背景技術】
【０００２】従来ハードルのバーは固定式である、小中学生に取ってバーが向う脛、股間を痛打する、又、強打する想像におびえる者が多い、中にはルールを承知した上で手で全部倒して走っている。これでは何の為の体育か解らめ、そこで考案しました。
【考案の開示】
【考案が解決しようとする課題】
【０００３】学生用（特に小学校、中学校）運動具ハードルのバーは木製の板状で支柱に固定してある。バーを飛ぶ者にとっては痛打し、飛ぶ前にすでに畏怖する。訓練された者ならともかく、普通の児童において、痛打し畏怖しなければならないのか、たかだか成長期にある助成具ではないか、この課題を解決する為に思考した。
【課題を解決するための手段】
【０００４】ハードルのバーが体の一部を引っ掛けたり、接触すれば、バーが落下する様にした。
支柱の上部にバーを支持する突起をつける。
突起材はゴム、合成樹脂、金属を形成し固定する。
又は図−１の如く支点をもうけ突起物が傾く様にする。
ともかくも、バーが身体を痛める事なく落下する。
又、バー自体も軽く棒状にし、緩衝材で被覆し、身体を保護する、これが解決する為の手段です。
【考案の効果】
【０００５】ハードル競技で足を引っ掛けても、転倒、痛打する者がなくなり、痛くない事が解れば畏怖する事もなくなる、自ら進んで飛ぶ事になろう、速くと努力するやも知れぬ、意欲も沸く、効果が大いに上がる、互いの競争はバーの落下数を時間に置換し減点法を取ればいい事である。
畏怖におののくよりはるかに有益である。
【考案を実施する為の最良の状態】
【０００６】本考案の従来よりある固定式のハードルのバーに比べ、私の考案したバーは引っ掛けたり、触れた場合に落下する。
又、バー自体も軽い棒状で緩衝材で被覆され、当っても痛くない、けがが少ないはず。
なにより畏怖を取り除ける。以上が最良の方法と思う。
【図面の簡単な説明】
【０００７】
【図−１】ハードル支柱、側面図
【図−２】落下バー、側面図、正面図
【符号の説明】
【０００８】図−１  支柱側面図
１．１′．１″  ハードル支柱
２              固定突起
２′２″        支点を有する突起
３              重り
３′            バネ
図−２  落下バー
１              落下バー
２              芯材
３              緩衝材
【図−１】
0003141630.tif 000003
【図−２】
0003141630.tif 000004
【手続補正書】
【提出日】平成20年2月6日(2008.2.6)
【手続補正１】
【補正対象書類名】実用新案登録請求の範囲
【補正対象項目名】全文
【補正方法】変更
【補正の内容】
【実用新案登録請求の範囲】
【請求項１】
ハードル支柱の上部にバーを支持する突起をつけた事を特徴とする運動具ハードル。
【請求項２】
前記突起は支点をもうけ傾く様にした事を特徴とする請求項１に記載の運動具ハードル。
【請求項３】
前記バーは援衝材で被覆した事を特徴とする請求項１、又は請求項２に記載の運動具ハードル。
【請求項４】
前記バーは棒状である事を特徴とする請求項１から請求項３に記載の運動具ハードル。
(57)【要約】      （修正有）【課題】トイレの便器に直接貼る洗浄及び芳香剤入りのシートである。【解決手段】従来の貯水槽型や給水口型とは違い、便器に直接貼る粘着型のシートであり、水洗及び汲取りの両方に使用でき、それにより洗浄効果及び芳香による爽快感を得られる。【選択図】図１
0003141658.tif 000002
【実用新案登録請求の範囲】
【請求項１】
便器に直接貼り付けるトイレの洗浄および芳香剤をしみこませたシート
【考案の詳細な説明】
【技術分野】
【０００１】本考案は、水洗および汲取り両用のトイレシートに関するものである。
【背景技術】
【０００２】現在ある多くのそれは貯水槽に入れるか給水口に置くタイプである。
その為汲取り式には使用できない。
【考案の開示】
【考案が解決しようとする課題】
【０００３】本考案は、水洗および汲取りに両用できトイレの清掃も果たしながら同時に爽快感を得ようとするものである。
【課題を解決するための手段】
【０００４】シートを貼る事でそこを通る水や小便が洗浄と芳香の効果を果たすさらにはリラックス効果をもたらす。
【考案の効果】
【０００５】上記のようにこれを貼る事で用を足す人の神経もそこに集中させ飛散量も抑えられ、なおかつ爽快感をえられる。
【考案を実施するための最良の形態】
【０００６】シート状にすることでカットすればどのような形状の便器にも使用できる。
又色柄や、文字、イラスト、広告などもいれられる。
【実施例】
【０００７】以下、添付図面に従って一実施例を説明します。
図１で示すように水洗便器では３の穴を通り水が流れる。
【図面の簡単な説明】
【０００９】
【図１】本考案の水洗便器に取り付けた場合の一実施例を示す正面図である。
【図２】本考案の汲取り便器に取り付けた場合の一実施例を示す正面図である。
【符号の説明】
【００１０】１  シート本体
２  水洗便器
３  水洗の穴
４  汲取り便器
【図１】
0003141658.tif 000003
【図２】
0003141658.tif 000004
(57)【要約】【課題】        線香立て内部に入れてある線香支持用の灰をかき混ぜたりすることなく、安全に且つ確実に線香が立てられるようにすることが考案が解決しようとする課題である。【解決手段】  線香立てに補助具を設け、線香支持用の灰の湿気に関係なく、また灰がなくとも、線香を確実にしかも安全に立てられるようにすること、これらが課題を解決するための手段である。【選択図】図１
0003141656.tif 000002
【実用新案登録請求の範囲】
【請求項１】
陶磁器または石材からなる筒状体の上端に外方向へ突出した係止部を設け、内部上方には平板部を設けると共に、当該平板部には、中央に線香の束を遊嵌し得る上下に貫通した大穴を設け、その周囲には一本の線香を遊嵌し得る同じく上下に貫通した多数の小穴を設けてなる線香立て補助具。
【考案の詳細な説明】
【技術分野】
【０００１】  本考案は、墓前用の線香立て補助具に関するものである。
【背景技術】
【０００２】  墓前用の線香立てとしては石材製或いは陶磁器製のものが知られている。
大きさも昔ながらの２寸とか３寸のものが多いが、いずれにしても、これらの線香立てには、内部に灰を入れてその灰に線香を突き刺して立てるようにしている。【０００３】  墓前の線香立ても、中には屋根つきのものもあるが、いずれにしても屋外にあるために内部に入れてある灰が湿気を帯びて固まり、線香を立てる度に灰をかき混ぜなければ線香を突き刺すことが出来ず、かき混ぜずに無理に線香を立てようとすると線香が折れるという問題があった。【０００４】  仏壇の線香立てにしても、やはり墓前用の線香立てと同じように灰が湿気を帯びて固まることもあり、また固まってはいないにしても、特に仏壇の場合は灰に突き刺した線香が倒れ火災が発生する憂いがあった。【０００５】  線香立ては底に足が三つ着いているものが一般的である。一本足が拝む人のの方で二本足が仏様の方を向くように置く。線香の立て方は宗派によっても違い、また線香の立てる数もまちまちであるが、仏教的には、仏、法、僧に帰依するからという意味もあり、真言宗では身、口、意の三密ということで三本供えるという説がある。三本の線香の立て方は線香立ての足に合わせて仏様側に二本、拝む人の方に一本を立てて、逆正三角形の形に立てるのが好ましい。ただし、満中陰の間は線香は一本である。これは一心に成仏に向かう為と言われている。
【考案の開示】
【考案が解決しようとする課題】
【０００６】  解決しようとする問題点は、線香立て内部に入れてある線香支持用の灰をかき混ぜたりすることなく、安全に且つ確実に線香が立てられるようにすることである。
【課題を解決するための手段】
【０００７】  問題を解決するための手段としては、線香立てに補助具を設け、線香支持用の灰の湿気に関係なく、また灰がなくとも、線香を確実にしかも安全に立てられるようにすることである。
【考案の効果】
【０００８】  本考案は、陶磁器または石材からなる筒状の本体の上端に外方向へ突出した係止部を設け、内部上方には平板部を設けると共に、当該平板部には、中央に線香の束を遊嵌し得る上下に貫通した大穴を設け、その周囲には一本の線香を遊嵌し得る同じく上下に貫通した多数の小穴を設けてなる線香立て補助具であるから、従来は墓前用の線香立てにおいては雨で線香支持用の灰が濡れたり、また湿気で灰が固まるという問題があり、墓参のたびに灰をかき混ぜなければ線香を突き刺すことが出来ず、また仏前においては灰に突き刺した線香が不安定であるために倒れて火災わ引き起こす憂いがあったが、本考案では線香は平板部３の穴に遊嵌しているので、灰が固まっていても何の問題もなく線香を立てることが出来、しかも線香を確実に立てることが出来るので倒れる心配もない。また小穴は多数あるので多人数で参拝するような時にも問題なく、その上、構造が簡単であるから陶磁器製にしても石材製にしても容易に、且つ安価にできる等、極めて顕著なる実用的効果を有するものである。
【考案を実施するための最良の形態】
【０００９】  本考案は、陶磁器または石材からなる筒状体の上端に外方向へ突出した係止部を設け、内部上方には平板部を設けると共に、当該平板部には、中央に線香の束を遊嵌し得る上下に貫通した大穴を設け、その周囲には一本の線香を遊嵌し得る同じく上下に貫通した多数の小穴を設けてなる線香立て補助具を呈せんとするものである。
【実施例１】
【００１０】  陶磁器または石材からなる筒状の本体１の上端に外方向へ突出した係止部２を設け、内部上方には平板部３を設けている。本体１の外径は既存の墓前用の線香立て、或いは仏前用の線香立ての灰入れ部の内径より小とし、当該線香立て補助具がこれら既存の線香立てＡに遊嵌し得る径としている。尚、本考案においては図１に示すように本体１の上端に設けた係止部２が、線香立てＡの上部に係止するように構成しているが、当該係止部２をなくして単なる筒状態とし、当該本体１の下端を線香立てＡの底部に達するようにすることも可能である。【００１１】  平板部３には、図２に示すように中央に線香の束を遊嵌し得る上下に貫通した大穴４を設け、その周囲には一本の線香を遊嵌し得る同じく上下に貫通した多数の小穴５を設けている。【００１２】  小穴５は、三本の線香を仏様側に二本、拝む人の方に一本、逆正三角形の形に立てられるように配置することが望ましい。【００１３】  考案の主旨は線香立て補助具であるが、図４に示すように、当該補助具を適宜の受け皿Ｂの上におけば、通常の線香立てとしての利用も可能である。
【産業上の利用可能性】
【００１４】  陶磁器または石材からなる筒状の本体１の上端に外方向へ突出した係止部２を設け、内部上方には平板部３を設けると共に、当該平板部３には、中央に線香の束を遊嵌し得る上下に貫通した大穴４を設け、その周囲には一本の線香を遊嵌し得る同じく上下に貫通した多数の小穴５を設けてなる線香立て補助具であるから、従来は墓前用の線香立てにおいては雨で線香支持用の灰が濡れたり、また湿気で灰が固まるという問題があり、墓参のたびに灰をかき混ぜなければ線香を突き刺すことが出来ず、また仏前においては灰に突き刺した線香が不安定であるために倒れて火災を引き起こす憂いがあったが、本考案では線香は平板部３の穴に遊嵌しているので、灰が固まっていても何の問題もなく線香を立てることが出来、しかも線香を確実に立てることが出来るので倒れる心配もない。また小穴５は多数あるので多人数で参拝するような時にも問題なく、その上、構造が簡単であるから陶磁器製にしても石材製にしても容易に、且つ安価にできる等、産業上の利用可能性は極めて大きいものがある。
【図面の簡単な説明】
【００１５】
【図１】  線香立て補助具の断側面図。
【図２】  線香立て補助具の平面図。
【図３】  使用例を示す断側面図。
【図４】  その他の使用例を示す側面図。
【符号の説明】
【００１６】  １  本体
２  係止部
３  平板部
４  大穴
５  小穴
Ａ  既存の線香立て
Ｂ  受け皿
【図１】
0003141656.tif 000003
【図２】
0003141656.tif 000004
【図３】
0003141656.tif 000005
【図４】
0003141656.tif 000006